(57)【要約】      （修正有）【課題】消費電力を抑えつつ調光を電気的に行うことができる照明装置を提供する。【解決手段】光源１０と、光源１０の光を調光する調光部３０と、少なくとも光源１０からの光により調光部３０を駆動させる電力を発電する発電部４０と、を備える。【選択図】図１
2014022312.tif 000002
【特許請求の範囲】
【請求項１】
光源と、
前記光源からの光を調光する調光部と、
少なくとも前記光源からの光により前記調光部を駆動させる電力を発電する発電部と、を備える照明装置。
【請求項２】
前記調光部が反射型の表示ディスプレイを含む請求項１に記載の照明装置。
【請求項３】
前記表示ディスプレイが電気泳動ディスプレイである請求項２に記載の照明装置。
【請求項４】
前記光源からの光を前記調光部の調光面と異なる面に導く導光部材をさらに備える請求項１〜３のいずれか一項に記載の照明装置。
【請求項５】
前記調光部の前記調光面と反対側に所定の画像を表示する画像表示部が設けられ、
前記導光部材は、前記画像表示部に対して前記光を導く請求項４に記載の照明装置。
【請求項６】
前記調光部は、前記光源の周囲を囲むように配置される請求項４または５に記載の照明装置。
【請求項７】
前記調光部及び前記発電部が前記光源に対向するように同一面上に配置され、
前記導光部材は、一面側に前記光源を支持する光源支持部における他面側に前記光を導く請求項４に記載の照明装置。
【発明の詳細な説明】
【技術分野】
【０００１】
本発明は、照明装置に関するものである。
【背景技術】
【０００２】
屋内で使用される照明装置は、光源の明るさを調光することが一般的に行われている（例えば、特許文献１参照）。
【先行技術文献】
【特許文献】
【０００３】
【特許文献１】特開２００７−５９２６０号公報
【発明の概要】
【発明が解決しようとする課題】
【０００４】
ところで、上述した調光を照明装置において電気的に行う構成も考えられる。
しかしながら、このように調光を電気的に行う構造では、光源とは別に調光を行う機構にも電力が利用されるため、装置全体としての消費電力が増加してしまう。
【０００５】
本発明は、消費電力を抑えつつ調光を電気的に行うことができる照明装置を提供することを目的とする。
【課題を解決するための手段】
【０００６】
本発明の一態様に従えば、光源と、前記光源の光を調光する調光部と、少なくとも前記光源からの光により前記調光部を駆動させる電力を発電する発電部と、を備える照明装置が提供される。
【発明の効果】
【０００７】
本発明によれば、消費電力を抑えつつ調光を電気的に行うことができる。
【図面の簡単な説明】
【０００８】
【図１】第一実施形態に係る照明装置の概略構成を示す側断面図。
【図２】第一実施形態に係るシェード部の内側の構成を示す図。
【図３】第一実施形態に係る照明装置の外観を示す図。
【図４】第一実施形態に係る照明装置の電気的構成を示すブロック図。
【図５】第一実施形態に係る電気泳動ディスプレイの要部構成を示す断面図。
【図６】第一実施形態に係る調光部の要部構成を示す断面図。
【図７】第二実施形態に係る照明装置の概略構成を示す側断面図。
【発明を実施するための形態】
【０００９】
以下、本発明の一実施形態について図面を参照しながら説明するが、本発明はこれに限定されない。
【００１０】
（第一実施形態）
図１は第一実施形態に係る照明装置の概略構成を示す側断面図である。
図１に示すように、照明装置１００は、光源１０と、光源１０を覆うシェード部２０と、画像表示部５０と、を有する。光源１０としては、例えば白熱電球、水銀ランプ、有機ＥＬ素子等を用いることができる。光源１０は、例えば天井Ｔから吊り下げられている。
【００１１】
シェード部２０は、光源１０からの光を反射、減衰させることで調光を行うための調光部３０を含む。シェード部２０は、第１シェード部２１、第２シェード部２２、及び第３シェード部２３を有する。なお、第１シェード部２１、第２シェード部２２、及び第３シェード部２３は、不図示の領域で接続されており、一体に保持されている。第１シェード部２１は、光源１０に最も近接して配置されており、第２シェード部２２及び第３シェード部２３の順に光源１０から離間して配置されている。
【００１２】
第１シェード部２１は、透光性を有する基材を主体に構成され、調光部３０と、発電部４０とを含む。第１シェード部２１は、側面部２１ａと該側面部２１ａに接続する上面部２１ｂとを含み、光源１０の周方向を囲むように設けられる。第１シェード部２１は、側面部２１ａが上面部２１ｂから離間するに従って開口面積が拡がるテーパー形状を有している。上記調光部３０及び発電部４０は、第１シェード部２１の側面部２１ａの内側に設けられている。
【００１３】
第２シェード部２２は、透光性を有する基材を主体に構成され、調光部３０と、発電部４０とを含む。第２シェード部２２は、上記第１シェード部２１とは異なり、側面部２２ａのみを含み、光源１０側から視た場合に該光源１０を囲むリング状に設けられている。調光部３０及び発電部４０は、第２シェード部２２の側面部２２ａの内側に設けられる。側面部２２ａは、第１シェード部２１の側面部２１ａと同様、テーパー形状を有する。側面部２２ａにおけるテーパー角は、側面部２１ａに比べて小さい。すなわち、側面部２２ａは、側面部２１ａに比べ、鉛直方向において上方が起き上がった状態とされている。
【００１４】
第３シェード部２３は、光透光性を有する基材を主体に構成され、調光部３０と、発電部４０とを含む。第３シェード部２３は、上記第２シェード部２２と同様、側面部２３ａのみを含み、光源１０側から視た場合に該光源１０を囲むリング状に設けられている。調光部３０及び発電部４０は、第３シェード部２３の側面部２２ａの内側に設けられる。側面部２３ａは、第１、第２シェード部２１、２２の側面部２１ａ、２２ａと同様、テーパー形状を有する。側面部２３ａは、光源１０から離間するに従って開口面積が狭まる逆テーパー形状を有している。
【００１５】
上記調光部３０としては、反射型の液晶表示ディスプレイ、有機ＥＬディスプレイ、或いは電気泳動ディスプレイを用いることができる。このように反射型のディスプレイを用いることでバックライト等を不要とすることができ、消費電力を抑えることができる。本実施形態において、調光部３０には電気泳動ディスプレイ３１が用いられる。調光部３０は、複数の電気泳動ディスプレイ３１を含む。
【００１６】
上記発電部４０は、第１シェード部における少なくとも光源１０と対向する面（側面部２１ａの内側）に設けられる。発電部４０は太陽光パネル４０ａを含む。太陽光パネル４０ａは、少なくとも光源１０の光から取得した光エネルギーを光起電力効果によって電力に変換するパネルである。
【００１７】
図２はシェード部２０の内側の構成を示す図である。図２に示すように、電気泳動ディスプレイ３１及び太陽光パネル４０ａは、第１シェード部２１〜第３シェード部２３における側面部２１ａ〜２３ａの内側の周方向に沿ってそれぞれ複数ずつ配置されている。本実施形態において、電気泳動ディスプレイ３１及び太陽光パネル４０ａは、側面部２１ａ〜２３ａの内側に交互に配置されている。
【００１８】
なお、太陽光パネル４０ａは、第１シェード部２１、第２シェード部２２、及び第３シェード部２３の全てに設けなくてもよく、少なくとも１つに設けるようにしてもよい。例えば、発電部４０が第１シェード部２１の上面部２１ｂの内面側のみに設けられるようにしてもよい。すなわち、太陽光パネル４０ａは側面部２１ａ〜２３ａにおいて少なくとも一つ設けられていればよく、発電部４０に要求される発電量に応じて適宜設定される。
【００１９】
図３は本実施形態に係る照明装置の外観を示す図である。図３に示すように画像表示部５０は、シェード部２０（第１シェード部２１、第２シェード部２２、及び第３シェード部２３）の調光面と反対面側、すなわち各側面部２１ａ、２２ａ、２３ａの外側に設けられている。
【００２０】
画像表示部５０は、反射型の表示ディスプレイから構成され、所定の画像を表示することができる。反射型の表示ディスプレイとしては、液晶表示ディスプレイ、有機ＥＬディスプレイ、或いは電気泳動ディスプレイを用いてもよい。本実施形態において、画像表示部５０は、複数の電気泳動ディスプレイ５１を有している。なお、電気泳動ディスプレイ５１は、調光部３０を構成する上記電気泳動ディスプレイ３１と同一の構成を有している（図５参照）。
【００２１】
複数の電気泳動ディスプレイ５１が第１シェード部２１、第２シェード部２２、及び第３シェード部２３に設けられている。本実施形態においては、図５に示すように、各シェード部２１，２２，２３の側面部２１ａ，２２ａ，２３ａの外面側には、それぞれ複数の電気泳動ディスプレイ５１が配置されている。
【００２２】
図４は本実施形態に係る照明装置の電気的構成を示すブロック図である。
図４に示すように、光源１０は、光を射出する光源本体１０ａと、電源コントローラー１１と、電源スイッチ１２と、電源ケーブル１３とを含む。光源１０は、電源ケーブル１３を介して外部の電源装置６に接続されることで電力が供給される。電源スイッチ１２は、電源装置６からの電力供給のオン、オフを切り替えるためのものであり、電源コントローラー１１は電源スイッチ１２のオン、オフに応じて光源本体１０ａに電力供給をコントロールするためのものである。
【００２３】
シェード部２０は、ＣＰＵ（制御装置）６０と、メモリ６１と、調光用ドライバ６２と、ＩＲドライバ６３と、充放電回路６４と、表示用ドライバ６５とを含む。調光用ドライバ６２は、調光部３０の電気泳動ディスプレイ３１の駆動を制御するためのものである。また、表示用ドライバ６５は、画像表示部５０の電気泳動ディスプレイ５１の駆動を制御するためのものである。ＩＲドライバ６３には、ユーザーによるリモートコントローラーによる操作時に用いられるリモコン７０との間で信号の送受信を行うリモコン送受信部６７が電気的に接続され、リモコン操作に応じた入力信号をＣＰＵ６０に送信する。充放電回路６４は、発電部４０の太陽光パネル４０ａと、二次電池６６とに電気的に接続されている。これにより、充放電回路６４は、発電部４０（太陽光パネル４０ａ）が発電した電力の一部を二次電池６６に充電する充電動作と、発電部４０が発電した電力をＣＰＵ６０に供給する供給動作とを切り替える。ＣＰＵ６０は、調光用ドライバ６２及び表示用ドライバ６５を介して調光部３０及び画像表示部５０に駆動電力を供給する。
【００２４】
このような構成に基づき、照明装置１００は、発電部４０で発電した電力を利用することで調光部３０及び画像表示部５０を駆動させることができる。なお、照明装置１００は、充放電回路６４及び二次電池６６を有していなくてもよい。
【００２５】
図５は電気泳動ディスプレイ３１の要部構成を示す断面図である。なお、以下では、電気泳動ディスプレイ３１の構成のみを説明し、同一の構成を有する電気泳動ディスプレイ５１については説明を簡略化略する。
【００２６】
図５に示すように、電気泳動ディスプレイ３１は、第１基板７１と第２基板７２とが所定の間隔をおいて対向配置され、第１基板７１と第２基板７２との間の空間に複数のマイクロカプセル７３を配列してなる電気泳動素子７４が配置されている。第１基板７１の内面および第２基板７２の内面には、電気泳動素子７４に電圧を印加するための第１電極７５、第２電極７６がそれぞれ形成されている。
【００２７】
電気泳動ディスプレイ３１は、上述のように調光用途で用いられ、第２基板７２の表面が調光面３１ａを構成する。電気泳動ディスプレイ３１は、調光面３１ａにおける濃度を変化させることで光源１０からの光の反射率を調整することができる。
【００２８】
第１基板７１を構成する基材７１ａは、例えばプラスチックやフィルム材等で構成されている。また、第２基板７２を構成する基材７２ａは、例えばプラスチックやフィルム等で構成されている。基材７１ａは、調光面３１ａとは反対側に配置されることから透光性（透明）を有していなくてもよい。これにより、表示部１は、全体として可撓性を有し、折り曲げ可能とされている。また、基材７１ａの内面に形成された第１電極７５は、例えばＩＴＯ（インジウム・スズ酸化物）等の透明導電材料やアルミニウム等の金属材料などにより形成されている。また、第２基板７２にも透明基板が用いられている。基材７２ａの内面に形成された第２電極７６は、例えばＩＴＯ等の透明導電材料から形成されている。
【００２９】
このような構成に基づき、電気泳動ディスプレイ３１は、調光用ドライバ６２を介して第１電極１５と第２電極１６とにより電気泳動素子１４に所定の電圧を印加することができる。
【００３０】
マイクロカプセル７３は、例えば４０μｍ程度の粒径を有している。マイクロカプセル７３は、内部に分散媒７９と、複数の白色電気泳動粒子７７と、複数の黒色電気泳動粒子７８とが封入されることで構成される。
【００３１】
白色電気泳動粒子７７は、例えば、負に帯電した白色顔料からなる粒子であり、黒色電気泳動粒子７８は、例えば、正に帯電した黒色顔料からなる粒子である。
【００３２】
電気泳動ディスプレイ３１は、調光面３１ａにおける濃度を変化させる場合、第１基板７１と第２基板７２との間に電界を生じさせる。電気泳動ディスプレイ３１は、例えば相対的に第１電極７５を負極性に保持すると、この電界に応じて負に帯電した白色電気泳動粒子７７が第２電極７６に引き寄せられるとともに、正に帯電した黒色電気泳動粒子７８が第１電極７５に引き寄せられる。これにより、電気泳動ディスプレイ３１は、調光面３１ａを白色表示とすることができる。
【００３３】
一方、電気泳動ディスプレイ３１は、例えば相対的に第１電極７５を正極性に保持すると、この電界に応じて正に帯電した黒色電気泳動粒子７８が第２電極７６側に引き寄せられるとともに、負に帯電した白色電気泳動粒子７７が第１電極７５に引き寄せられる。これにより、電気泳動ディスプレイ３１は、調光面３１ａを黒色表示とすることができる。
【００３４】
電気泳動ディスプレイ３１は、第１電極７５及び第２電極７６に対する電圧の印加を中止した後も、白色電気泳動粒子７７及び黒色電気泳動粒子７８の位置が概ね保持される。このように電気泳動ディスプレイ３１は、調光中の消費電力が抑えられ、電圧印可時のみに電力が消費されるので、全体として低消費電力化が図られたものとなる。
【００３５】
一方、電気泳動ディスプレイ５１は、上述のように画像表示用途で用いられ、第２基板７２の表面が画像表示面５１ａを構成する（図５参照）。電気泳動ディスプレイ５１は、画素毎に白黒表示を行う必要がある事から、第１電極７５が画素毎に形成されている。この構成に基づき、電気泳動ディスプレイ５１は、画素毎に第１電極７５及び第２電極７６間に印加する電圧を調整することで画像表示面５１ａに所望の画像を表示することができる。
【００３６】
ところで、各シェード部２１，２２，２３（側面部２１ａ，２２ａ，２３ａ）の外面に設けられた電気泳動ディスプレイ５１は、反射型のディスプレイであることから、光源１０に対して背を向けて配置されると逆光状態となる。すると、電気泳動ディスプレイ５１における画像表示面５１ａの視認性が著しく低下するおそれがある。
【００３７】
これに対し、本実施形態に係る照明装置１００は、光源１０からの光を調光部３０の調光面３１ａ（電気泳動ディスプレイ３１の表面）と異なる面に導く導光部材を備えている。
【００３８】
図６は調光部３０の要部構成（導光部材）を示す断面図である。
図６に示すように、各シェード部２１，２２，２３の側面部２１ａ，２２ａ，２３ａにおける電気泳動ディスプレイ５１が配置された部分に対応して導光部材８０が設けられている。導光部材８０は、シェード部２０の調光側と反対側に設けられた画像表示部５０（電気泳動ディスプレイ５１）に光を導くためのものである。
導光部材８０は、例えば光源１０からの光を反射可能なミラーやプリズムから構成される。本実施形態においては、導光部材８０としてプリズムを用いた。
【００３９】
このような構成に基づき、照明装置１００は、導光部材８０内にて光源１０の光を全反射させることで、図６に示すように電気泳動ディスプレイ５１の画像表示面５１ａ側に光を導くことができる。これにより、電気泳動ディスプレイ５１の画像表示面５１ａに入射される光量を増加させ、光源１０に対して背を向けた状態で配置されることで逆光状態とされた場合においても、画像表示面５１ａの視認性の低下を抑制できる。
【００４０】
続いて、本実施形態に係る照明装置１００の動作の一例について説明する。
まず、照明装置１００は、電源ケーブル１３を介して電源装置６に接続されることで使用可能な状態となり、電源スイッチ１２がオンされると電源コントローラー１１が光源本体１０ａに電力を供給する。これにより、光源１０が点灯する。
【００４１】
このとき、照明装置１００において、点灯した光源１０の光が、シェード部２０（第１シェード部２１、第２シェード部２２、及び第３シェード部２３）の内側に設けられた太陽光パネル４０ａに入射する。太陽光パネル４０ａは、光源１０からの光によって発電する。充放電回路６４は、発電部４０（太陽光パネル４０ａ）が発電した電力の一部を二次電池６６に充電する（蓄える）。やがて二次電池６６が十分な電力を蓄え、且つ一定時間を経過した後、充放電回路６４は、太陽光パネル４０ａが発電した電力をＣＰＵ６０側に供給する供給動作を開始する。
【００４２】
照明装置１００は、ＣＰＵ６０が調光用ドライバ６２を介して電気泳動ディスプレイ３１を駆動することで調光面３１ａの反射率を変化させることで調光動作を行う。
例えば、照明装置１００は、照明光の輝度を高くする調光を行う場合、調光面３１ａにおける反射率を高くする。すなわち、電気泳動ディスプレイ３１は、相対的に第１電極７５を負極性に保持するように駆動される。このとき、電気泳動ディスプレイ３１においては、負に帯電した白色電気泳動粒子７７が第２電極７６に引き寄せられるとともに、正に帯電した黒色電気泳動粒子７８が第１電極７５に引き寄せられ、調光面３１ａが白色表示となる。調光面３１ａが白色表示となった電気泳動ディスプレイ３１においては、光源１０からの光が白色電気泳動粒子７７の表面で反射されることで相対的に高い反射率となる。
【００４３】
一方、照明装置１００は、照明光の輝度を低くする調光を行う場合、調光面３１ａにおける反射率を低くする。すなわち、電気泳動ディスプレイ３１は、相対的に第１電極７５を正極性に保持するように駆動される。このとき、電気泳動ディスプレイ３１においては、正に帯電した黒色電気泳動粒子７８が第２電極７６側に引き寄せられるとともに、負に帯電した白色電気泳動粒子７７が第１電極７５に引き寄せられ、調光面３１ａが黒色表示となる。調光面３１ａが黒色表示となった電気泳動ディスプレイ３１においては、光源１０からの光が黒色電気泳動粒子７８の表面で吸収されることで相対的に低い反射率となる。
【００４４】
なお、照明装置１００は、白色電気泳動粒子７７及び黒色電気泳動粒子７８における移動量を調整することで電気泳動ディスプレイ３１の調光面３１ａを白色表示と黒色表示との間のグレー表示とすることもできる。調光面３１ａがグレー色表示となった電気泳動ディスプレイ３１においては、光源１０からの光が白色電気泳動粒子７７で一部反射されるとともに黒色電気泳動粒子７８の表面で一部吸収されることで中間の反射率となる。
【００４５】
このように照明装置１００は、太陽光パネル４０ａが発電した電力を利用することで駆動された調光部３０（電気泳動ディスプレイ３１）により、光源１０からの光を調光し、照明光の輝度を任意に調整することができる。
【００４６】
なお、上記のような調光動作は、ユーザーによるリモコン７０の操作に基づいて行ってもよいし、照明装置１００の点灯、消灯のタイミングに合わせて行ってもよい。例えば、照明装置１００は、点灯直後から徐々に調光面３１ａの反射率を上昇させ、消灯後には徐々に反射率を下げることで、柔らかい照明の変化を演出することもできる。
【００４７】
また、照明装置１００は、ＣＰＵ６０が表示用ドライバ６５を介して電気泳動ディスプレイ５１を駆動することで画像表示面５１ａに所望の画像を表示する。これにより、照明装置１００は、シェード部２０の外面に配置された電気泳動ディスプレイ５１の画像表示面５１ａの画像を切り替えることで常に新鮮な印象をユーザーに与え続けることができる。よって、照明装置１００は、優れたインテリア性を備えたものとなる。
【００４８】
以上述べたように本実施形態に係る照明装置１００によれば、光源１０のみに電力を供給するだけで発電部４０が発電し、シェード部２０を駆動させることで調光を電気的に行うことができる。よって、光源１０への電力供給のみで調光が可能な低消費電力化が図られた照明装置１００を提供できる。
【００４９】
また、本実施形態において、電圧印可時のみに電力が必要とされる電気泳動ディスプレイ３１を用いて調光動作を行うので、太陽光パネル４０ａが発電する制約された電力のみで駆動させることができる。
【００５０】
また、シェード部２０（第１シェード部２１、第２シェード部２２、及び第３シェード部２３）は、光源１０の周囲を囲むように配置されるので、光源１０の光を内面に配置された電気泳動ディスプレイ３１の調光面３１ａに効率的に取り込むことができる。よって、照明装置１００は、シェード部２０による調光動作を良好に行うことができる。
【００５１】
また、本実施形態においては、上述のように電気泳動ディスプレイ３１が配置される各シェード部２１、２２の側面部２１ａ、２２ａのテーパー角が外側から内側に向かって小さくなり、最も中央に配置される第３シェード部２３の側面部２３ａが逆テーパーとされている。そのため、光源１０から射出された光は、各側面部２１ａ、２２ａ、２３ａに配置された電気泳動ディスプレイ３１の調光面３１ａにおいて、図１に示したように概ね下方に向かって反射される。よって、照明装置１００は、光源１０の光を周囲に拡散させることなく下方に反射させた状態で調光を行うことで光源１０の下方を明るく照らすことができる。
【００５２】
なお、上記実施形態においては、調光用の電気泳動ディスプレイ３１と、画像表示用の電気泳動ディスプレイ５１とをそれぞれ個別に設ける場合を例に挙げたが、光源１０に対する配置位置によっては電気泳動ディスプレイ３１を画像表示用として兼用するようにしてもよい。例えば、ユーザーが照明装置１００を下方から見上げた場合に視認可能とされる第１シェード部２１の側面部２１ａに配置された電気泳動ディスプレイ３１については画像表示に用いてもよい。このように１つの電気泳動ディスプレイを画像表示用途及び調光用途に兼用する際、照明装置１００が要求する照明の照度（調光の度合い）に応じて画像表示用途での使用又は調光用途での使用かを決定すればよい。例えば、照明装置１００が高い照度を必要とする場合、電気泳動ディスプレイ３１は調光面３１ａを全面白色表示とすることで画像を表示しない。
一方、照明装置１００が比較的低い照度を必要とする場合、調光面３１ａに所定の濃度の白黒画像を表示させる。この場合、調光面３１ａに表示された白黒画像は、全体として光源１０からの光を反射することで調光面としても機能する。
【００５３】
また、複数の電気泳動ディスプレイ３１を画像表示用途及び調光用途として兼用する場合、各電気泳動ディスプレイ３１の調光面３１ａにおいては平均濃度（平均濃度レベル）が同じ白黒画像を表示させるようにしてもよい。ここで、平均濃度が同じとは、画像全体としての反射率が近いことを意味する。
【００５４】
また、上記実施形態においては、導光部材８０がシェード部２０の調光側と反対側に設けられた電気泳動ディスプレイ５１に光を導く場合を例に挙げたが、本実施形態はこれに限定されることはない。例えば、導光部材８０がシェード部２０の調光側と反対側における電気泳動ディスプレイ５１が設けられていない領域（例えば、写真や絵画が貼り付けられた領域）に光を導くようにしてもよい。これによれば、写真や絵画に光源１０からの光が導かれるので、光源１０に対して逆光状態に配置された写真や絵画等の視認性を確保することができる。また、シェード部２０の表面に写真や絵画等を配置することでインテリア性に優れた照明装置１００を提供できる。
【００５５】
（第二実施形態）
続いて、第二実施形態に係る照明装置について説明する。本実施形態と第一実施形態との違いは、調光部の構成である。そのため、第一実施形態と同一の構成及び部材については、同じ符号を付し、詳細な説明については省略若しくは簡略化するものとする。本実施形態に係る照明装置は、壁や天井に間接的に照明光をバウンスする（跳ね返らせる）方式の照明装置である。
【００５６】
図７は第二実施形態に係る照明装置の概略構成を示す図であり、同図（ａ）は断面図であり、同図（ｂ）は斜視構成図である。
図７（ａ）、（ｂ）に示すように、本実施形態に係る照明装置２００は、光源ユニット２１０と、光源ユニット２１０と対向するように配置されるスクリーン部２２０と、画像表示部５０と、を有する。本実施形態においては、照明装置２００（スクリーン部２２０）が壁掛け状態で設置された態様を例に挙げて説明するが、スクリーン部２２０を天井Ｔに設置する構成であっても構わない。
【００５７】
光源ユニット２１０は、光源１０と、光源１０を支持する支持板（光源支持部材）２１１とを含む。スクリーン部２２０は、ベース部材２２１と、ベース部材２２１の一面側に配置された発電部４０及び調光部２３０と、を含む。調光部２３０には、電気泳動ディスプレイ３１が用いられる。
【００５８】
本実施形態においては、電気泳動ディスプレイ３１の表面が調光部２３０における調光面２３０ａを構成する。光源ユニット２１０の支持板２１１は、スクリーン部２２０のベース部材２２１と連結部材２１２を介して接続されている。支持板２１１に設けられた光源１０は、ベース部材２２１と対向配置された状態とされている。
【００５９】
発電部４０を構成する太陽光パネル４０ａは、ベース部材２２１の内面側における光源１０と対向する位置に配置されている。調光面２３０ａを構成する複数の電気泳動ディスプレイ３１は、ベース部材２２１に設けられた太陽光パネル４０ａの周囲であり、且つ光源１０の光照射領域に重なる位置に配置されている。
【００６０】
画像表示部５０は、支持板２１１における光源１０と反対面側に配置された１つの電気泳動ディスプレイ５１から構成される。本実施形態においても、支持板２１１に導光部材１８０が設けられている。導光部材１８０は、光源１０からの光を調光部２３０の調光面２３０ａと異なる面に設けられた画像表示部５０（電気泳動ディスプレイ５１）に導く。これにより、照明装置２００は、調光面２３０ａが画像表示部５０の背面側で光ることで逆光状態となった場合でも、電気泳動ディスプレイ５１の画像表示面５１ａに入射される光量を増加させ、画像表示面５１ａの視認性の低下を抑制することができる。
【００６１】
続いて、本実施形態に係る照明装置２００の動作の一例について説明する。
照明装置２００は、光源１０が点灯すると、光源１０の光が太陽光パネル４０ａに入射する。太陽光パネル４０ａは、光源１０からの光によって発電し、二次電池６６に充電する。
【００６２】
照明装置２００は、太陽光パネル４０ａが発電した電力（二次電池６６に充電された電力）により電気泳動ディスプレイ３１、５１を駆動する。電気泳動ディスプレイ３１は、調光面２３０ａの反射率を変化させて調光動作を行う。光源１０からの光は、該光源１０に対向して配置されるスクリーン部２２０の調光面２３０ａで反射される（跳ね返される）。電気泳動ディスプレイ５１は、画像表示面５１ａに所望の画像を表示する。
【００６３】
このように本実施形態に係る照明装置２００は、太陽光パネル４０ａが発電した電力を利用することで駆動された調光部２３０（電気泳動ディスプレイ３１）により、光源１０からの光を調光し、照明光の輝度を任意に調整することができる。
【００６４】
なお、上記実施形態において、電気泳動ディスプレイ３１を調光用途として利用したが、画像表示用途に兼用してもよい。この場合において、電気泳動ディスプレイ３１に表示させる画像は、電気泳動ディスプレイ５１に表示させる画像と一定の関係性を有していてもよいし、全く独立していてもよい。例えば一定の関係性を持たせる場合として、電気泳動ディスプレイ３１に絵画を表示させ、前面に配置された電気泳動ディスプレイ５１に該絵画のタイトルを表示させるようにしてもよい。また、光源１０の照度に応じて、電気泳動ディスプレイ３１及び電気泳動ディスプレイ５１に表示させる画像の関係性を変化させるようにしてもよい。
【００６５】
なお、上記実施形態においては、画像表示部５０の電気泳動ディスプレイ５１についても白黒表示を行う場合を例に挙げた。しかしながら、上記実施形態はこれに限定されることはなく、調光用途で使用せずに画像表示用途のみで使用する場合、電気泳動ディスプレイ５１において白色電気泳動粒子７７及び黒色電気泳動粒子７８に代え、例えば赤色、緑色、青色等の粒子を用いてもよい。このようにすれば、表示面１ａにカラーの画像を表示することができる。
【符号の説明】
【００６６】
１０…光源、３０…調光部、３１…電気泳動ディスプレイ、３１ａ…調光面、４０…発電部、５０…画像表示部、８０，１８０…導光部材、１００，２００…照明装置、２１１…支持板、２３０…調光部、２３０ａ…調光面
【図１】
2014022312.tif 000003
【図２】
2014022312.tif 000004
【図３】
2014022312.tif 000005
【図４】
2014022312.tif 000006
【図５】
2014022312.tif 000007
【図６】
2014022312.tif 000008
【図７】
2014022312.tif 000009